(57)【要約】【課題】パノラマカメラ装置を提供することを課題とする。【解決手段】パノラマカメラ装置であって、カメラ本体と２枚のパノラマレンズと釣り合い重り部材と、を含む。カメラ本体は、２つの開口部と外部筐体と回路基板とを含み、２つの開口部が各々カメラ本体の対向する両側に開設され、外部筐体が２つの開口部の間を連結し、回路基板が外部筐体内に設けられる。２枚のパノラマレンズは、各々カメラ本体の２つの開口部内に収容されると共に各々回路基板に電気的に接続する。釣り合い重り部材は、カメラ本体の重心から離れ、かつ２枚のパノラマレンズ側と違い側にある外部筐体或いは回路基板上に設けられる。【選択図】図１
2018092141.tif 000002
【特許請求の範囲】
【請求項１】
２つの開口部と外部筐体と回路基板とを含み、前記２つの開口部が各々前記カメラ本体の対向する両側に開設され、前記外部筐体が前記２つの開口部の間を連結し、前記回路基板が前記外部筐体内に設けられるカメラ本体と、
各々前記カメラ本体の前記２つの開口部内に収容されると共に各々前記回路基板に電気的に接続する２枚のパノラマレンズと、
前記カメラ本体の重心から離れ、かつ前記２枚のパノラマレンズ側と違う側にある前記外部筐体或いは前記回路基板上に設けられる釣り合い重り部材と、を含むことを特徴とする、
パノラマカメラ装置。
【請求項２】
前記外部筐体に切欠溝を更に開設しており、前記切欠溝が前記釣り合い重り部材から離れ、前記回路基板が接続端子を更に含み、前記接続端子が前記切欠溝に対応することを特徴とする請求項１に記載のパノラマカメラ装置。
【請求項３】
前記切欠溝及び前記釣り合い重り部材は、各々前記カメラ本体の重心の対向する両側に位置することを特徴とする請求項２に記載のパノラマカメラ装置。
【請求項４】
前記回路基板は、無線通信モジュールを含み、前記無線通信モジュールが前記釣り合い重り部材から離れ、かつ前記無線通信モジュール及び前記釣り合い重り部材が各々前記カメラ本体の重心の対向する両側に位置することを特徴とする請求項１に記載のパノラマカメラ装置。
【請求項５】
前記釣り合い重り部材は、２個のカウンターウェイトを含み、前記２個のカウンターウェイトが各々前記回路基板の一側の対向する両面に設けられることを特徴とする請求項１に記載のパノラマカメラ装置。
【請求項６】
バンドを更に含み、前記バンドは前記外部筐体の外部を嵌設することを特徴とする請求項１に記載のパノラマカメラ装置。
【請求項７】
前記釣り合い重り部材は、前記バンド内に内蔵されることを特徴とする請求項６に記載のパノラマカメラ装置。
【請求項８】
前記釣り合い重り部材は、前記外部筐体の外部に設けられ、かつ前記バンドが前記釣り合い重り部材を覆うことを特徴とする請求項６に記載のパノラマカメラ装置。
【請求項９】
前記バンドは、緩衝輪であることを特徴とする請求項６〜８のいずれか一項に記載のパノラマカメラ装置。
【発明の詳細な説明】
【技術分野】
【０００１】
本発明は、カメラ構造に関し、特に、パノラマカメラ装置に関する。
【背景技術】
【０００２】
撮影機器が普及する現代において、多くの人々がカメラで生活の一瞬一瞬を記録している。デジタルテクノロジーの進歩につれ、カメラの機能も徐々に多様化する傾向となり、例えば手ぶれ補正、赤目軽減、オートフォーカス等の機能がある。
しかしながら、一般的なカメラは、全て単一視点で撮影を行うため、パノラマ写真を撮るためには、複数枚の写真を接ぎ合せていた。これは時間や手間が費やされるだけでなく、接ぎ合せる作業でも容易に誤差が生じていた。
【０００３】
以上に鑑み、市場にパノラマカメラが開発された。該パノラマカメラは複数組のレンズの設置を通じることで、３６０度の空間の全視野角をカバーし、よってユーザがシャッターを押すと３６０度のパノラマ写真を直接得ることができる。しかしながら、パノラマカメラのレンズ数が多くかつ各々異なる側面に設けられているため、使用過程中に不注意で落とすと、レンズが衝撃を受けることで破損するという事態を容易に招いていた。
【発明の概要】
【発明が解決しようとする課題】
【０００４】
そこで、本発明は、上記問題点に鑑み、パノラマカメラ装置を提供する。
【課題を解決するための手段】
【０００５】
一実施例において、カメラ本体と２枚のパノラマレンズと釣り合い重り部材と、を含むパノラマカメラ装置を提供する。カメラ本体は、２つの開口部と外部筐体と回路基板とを含み、２つの開口部が各々カメラ本体の対向する両側に開設され、外部筐体が２つの開口部の間を連結し、回路基板が外部筐体内に設けられる。２枚のパノラマレンズは、各々カメラ本体の２つの開口部内に収容されると共に各々回路基板に電気的に接続する。釣り合い重り部材は、カメラ本体の重心から離れ、かつ２枚のパノラマレンズ側と違い側にある外部筐体或いは回路基板上に設けられる。
【０００６】
本発明の実施例は、カメラ本体の重心から離れた外部筐体或いは回路基板上に釣り合い重り部材を取り付けることで、パノラマカメラ装置の重心を外部筐体の一側に移させ、パノラマカメラ装置を不注意で落とした時でも、パノラマレンズが直接衝撃を受けることを防止できてレンズを保護することができる。
【０００７】
一実施例において、パノラマカメラ装置は、外付け式パノラマカメラとすることができ、外部筐体に切欠溝を開設し、かつ切欠溝が釣り合い重り部材から離れ、回路基板が接続端子を更に含み、接続端子が切欠溝に対応することで、パノラマカメラ装置を接続端子で関連製品（例えばスマートフォン、タブレットコンピュータ或いはドライブレコ―ダー）に外付けさせることができる。また、切欠溝を釣り合い重り部材から離して設けることで、接続端子が釣り合い重り部材を設ける一側から離させることができ、パノラマカメラ装置を不注意で落とした時でも、接続端子が衝撃を受ける確率を軽減することができる。
【０００８】
一実施例において、パノラマカメラ装置は、無線パノラマカメラとすることができ、回路基板が無線通信モジュール（例えば、ＷｉＦｉ（登録商標）モジュール、ブルートゥース（登録商標）モジュール、８０２．１１モジュール又はＺｉｇＢｅｅ（登録商標）モジュール）を含み、無線通信モジュールを通じて関連製品と無線通信接続を行う。
また、無線通信モジュールは、回路基板の釣り合い重り部材から離れた側に位置することができ、パノラマカメラ装置を不注意で落とした時でも、無線通信モジュールが受ける衝撃力を減らして損傷を防止できる。
【図面の簡単な説明】
【０００９】
【図１】本発明の実施例１に係るパノラマカメラ装置の立体図である。
【図２】本発明の実施例１に係るパノラマカメラ装置の分解立体図である。
【図３】本発明の実施例１に係るパノラマカメラ装置の断面図である。
【図４】本発明の実施例１に係るパノラマカメラ装置の落下様子を示す模式図である。
【図５】本発明の実施例２に係るパノラマカメラ装置の断面図である。
【図６】本発明の実施例３に係るパノラマカメラ装置の断面図である。
【図７】本発明の実施例４に係るパノラマカメラ装置の断面図である。
【発明を実施するための形態】
【００１０】
以下、本発明の実施例について説明する。
【実施例１】
【００１１】
図１、図２及び図３は、本発明の実施例１に係るパノラマカメラ装置の立体図、分解立体図及び断面図である。
図１及び図２を参照する。本実施例のパノラマカメラ装置１は、カメラ本体１０と２枚のパノラマレンズ２０と釣り合い重り部材３０とを含む。説明の便宜のため、ここでパノラマカメラ装置１は、立体球形を例とする。若干の実施例において、パノラマカメラ装置１は方形、長方形、楕円形又はその他の不規則な形状とすることもできるが、本実施例はこれに限られるものではない。
【００１２】
図１乃至図３に示すように、カメラ本体１０は、２つの開口部１１と外部筐体１２と回路基板１３とを含み、２つの開口部１１が各々カメラ本体１０の対向する両側に開設され、外部筐体１２が２つの開口部１１の間を連結し、回路基板１３が外部筐体１２の内部（例えば回路基板１３は締付け、粘着或いは嵌合係止等の方法を通じて外部筐体１２の内部に固定されることができる）に固定される。
本実施例において、外部筐体１２は、２個の環状ケーシング部材１２１、１２２を突き合わせてから成り、外部筐体１２全体がリング形態になる。回路基板１３は２つの開口部１１の間に介在する。各開口部１１は、パノラマレンズ２０形状に対応するように設けられることができ、例えばパノラマレンズ２０が円形の場合、開口部１１も対応して円形の開口部とすることができる。
【００１３】
図２及び図３を参照する。２枚のパノラマレンズ２０は各々カメラ本体１０の２つの開口部１１内に収容され、かつ２枚のパノラマレンズ２０が各々回路基板１３に電気的に接続し、２枚のパノラマレンズ２０と回路基板１３を相互に通信させることができる。各パノラマレンズ２０は、回路基板１３或いは外部筐体１２に固定されることができ、例えば、各パノラマレンズ２０を螺合方法で回路基板１３（図３）に固定できる。
一実施例において、各パノラマレンズ２０は、広角レンズ又は魚眼レンズとし、かつ開口部１１の外部に露出させることができる。また、２枚のパノラマレンズ２０の最大視野角の和は、３６０度より大きいか又は等しく、例を挙げると、各パノラマレンズ２０の視野角範囲が０〜１４０度とすることができる。ユーザがパノラマカメラ装置１で撮影する時、回路基板１３は、２枚のパノラマレンズ２０で取り込んだ映像を処理することで３６０度のパノラマ映像を得ることができる。
【００１４】
一実施例において、釣り合い重り部材３０は、金属・プラスチック・セラミックのブロック又は電子素子、例えば電池とすることができ、かつ釣り合い重り部材３０をカメラ本体１０の重心から離れた外部筐体１２或いは回路基板１３に設け、例えば釣り合い重り部材３０を螺合、粘着、嵌合係止等の方法で外部筐体１２或いは回路基板１３の周縁箇所に固定し、釣り合い重り部材３０がカメラ本体１０の２枚のパノラマレンズ２０側と違い側に位置させ、パノラマカメラ装置１全体の重心をパノラマレンズ２０がない側に偏らせる。
例を挙げると、図３に示すように、釣り合い重り部材３０を取り付けていない時、カメラ本体１０の重心Ｃを大まかに全体的な中心位置にさせ、カメラ本体１０が重心Ｃと２つの開口部１１の基準面Ｒを通じて対向する上半部と下半部に区分でき、釣り合い重り部材３０は上半部又は下半部に取り付けることができ、例えば釣り合い重り部材３０を下半部に位置する外部筐体１２或いは回路基板１３上に取り付けることができる。パノラマカメラ装置１全体の重心をパノラマレンズ２０がない側に偏らせることができ、パノラマカメラ装置１を不注意で落とした時でもパノラマレンズ２０直接衝撃を受けることを防止できてレンズを保護する働きがある。
【００１５】
一実施例において、釣り合い重り部材３０は、単一のカウンターウェイトとし、又は複数のカウンターウェイトから成ることができる。図２及び図３に示すように、本実施例の釣り合い重り部材３０は、２個のカウンターウェイト３０１を含み、２個のカウンターウェイト３０１が外部筐体１２内に位置し、かつ各々回路基板１３の一側の対向する２つの表面に設けられ、回路基板１３の対向する両面の釣り合いを取らせる。２個のカウンターウェイト３０１は、各々固定具３０２（ここで螺合部材）で外部筐体１２の一側に組み込まれ、本実施例において、外部筐体１２に複数の径方向凸リブ１２５を内向きに凸設し、カウンターウェイト３０１が固定具３０２により締め付けることで、パノラマカメラ装置１全体の重心を釣り合い重り部材３０が設けられた側に偏らせる。
以上より、図４に示すように、パノラマカメラ装置１を不注意で落とした時、落とした過程において、パノラマカメラ装置１に釣り合い重り部材３０を設けた側が重力の影響を受けることで、下向き状態を保持できる。これにより、パノラマカメラ装置１が地面に落とした時、釣り合い重り部材３０を設けた側が先に地面と衝突することで、パノラマレンズ２０が直接衝撃を受けることを防止でき、レンズを保護する働きとなる。若干の実施例において、図５に示すように、釣り合い重り部材３０は単一のカウンターウェイトでも実現できる。
【００１６】
一実施例において、パノラマカメラ装置１は、外付け式パノラマカメラとすることができる。図２及び図３を参照すると、外部筐体１２に切欠溝１２３を開設でき、回路基板１３は接続端子１３１（例えばＵＳＢ、Ｍｉｃｒｏ  ＵＳＢ又はＨＤＭＩ（登録商標）等の接続端子）を含み、接続端子１３１が切欠溝１２３に対応するように突き抜け、パノラマカメラ装置１が接続端子１３１を通じて関連製品（例えば、スマートフォン、タブレットコンピュータ或いはドライブレコ―ダー）のポートに接続して互いにデータを伝送させることができる。
【００１７】
一実施例において、切欠溝１２３は、外部筐体１２の釣り合い重り部材３０から離れた側に開設される。例を挙げると、釣り合い重り部材３０が外部筐体１２の下側に隣接する場合、切欠溝１２３は、外部筐体１２の上側、左側又は右側に開設されることができ、接続端子１３１を釣り合い重り部材３０が設けられた側から離させ、これを介してパノラマカメラ装置１を不注意で落とした時、接続端子１３１が直接衝撃を受けるのを防止することで保護する働きとなる。
好ましくは、図２及び図３のように、切欠溝１２３及び釣り合い重り部材３０は各々カメラ本体１０の重心Ｃの対向する両側に位置し、接続端子１３１を外部筐体１２の釣り合い重り部材３０から最も離れた側に位置させることで、接続端子１３１が衝撃を受ける確率をより軽減させることができる。
【００１８】
図３を参照すると、一実施例において、カメラ本体１０の回路基板１３は、無線通信モジュール１３２（例えばＷｉＦｉモジュール、ブルートゥースモジュール、８０２．１１モジュール或いはＺｉｇＢｅｅモジュール）を更に含むことができ、パノラマカメラ装置１を接続端子１３１によって関連製品に接続させることができる以外に、無線通信モジュール１３２を通じて関連製品と無線通信接続させることもできる。
一実施例において、無線通信モジュール１３２は、回路基板１３の釣り合い重り部材３０から離れた側に位置されることができる。例を挙げると、釣り合い重り部材３０が回路基板１３の下側に隣接する場合、無線通信モジュール１３２は、回路基板１３の上側、左側或いは右側に設けられることができる。好ましくは、図２及び図３を参照すると、無線通信モジュール１３２及び釣り合い重り部材３０は、各々カメラ本体１０の重心Ｃの対向する両側に位置し、無線通信モジュール１３２を回路基板１３の釣り合い重り部材３０から最も離れた側に位置させることができる。
以上により、パノラマカメラ装置１を不注意で落とした時、無線通信モジュール１３２が受ける衝撃力を減少させることで損傷を防止できる。若干の実施例において、無線通信モジュール１３２及び釣り合い重り部材３０をカメラ本体１０の重心Ｃの同一側に位置させることもできる。
【００１９】
図２及び図３を参照する。一実施例において、パノラマカメラ装置１の外部筐体１２の外部に更にバンド４０を嵌設することで、バンド４０を外部筐体１２の表面に凸出させることができる。これによって、図４に示されるように、パノラマカメラ装置１を不注意で落とした時、バンド４０が先に地面に衝突することで、外部筐体１２が摩耗されるのを防止し、更に外部筐体１２を保護するという効果を奏する。
若干の実施例において、バンド４０は金属、プラスチック等の材料で製造された硬質輪、又はバンド４０をプラスチック、ゴム或いはシリコン等の材料で製造された弾性緩衝輪とすることもでき、パノラマカメラ装置１を不注意で落とした時、更に緩衝の効果を奏させることができる。
【実施例２】
【００２０】
図５は、本発明の実施例２に係るパノラマカメラ装置の断面図である。図５に示すように、本実施例と上記実施例１との相違点は、パノラマカメラ装置１が無線パノラマカメラであって接続端子１３１を具えず、カメラ本体１０の回路基板１３が無線通信モジュール１３２（例えばＷｉＦｉモジュール、ブルートゥースモジュール、８０２．１１モジュール或いはＺｉｇＢｅｅモジュール）を含み、無線通信モジュール１３２を通じて関連製品と無線通信接続することである。
若干の実施例において、無線通信モジュール１３２及び釣り合い重り部材３０は、各々カメラ本体１０の重心の対向対する両側に位置し、無線通信モジュール１３２をパノラマカメラ装置１の釣り合い重り部材３０が設けられた側から離れることができ、これを介して、パノラマカメラ装置１を不注意で落とした時、無線通信モジュール１３２が受ける衝撃力を減少させることで損傷を防止できる。
【実施例３】
【００２１】
一実施例において、パノラマカメラ装置１の釣り合い重り部材３０を外部筐体１２の外部に設けることもでき、組み立てがより一層便利になる。例を挙げると、図６は、本発明の実施例３に係るパノラマカメラ装置の断面図である。本実施例と上記実施例１との相違点は、釣り合い重り部材３０が外部筐体１２外部の凹溝１２４内に固定され、バンド４０が釣り合い重り部材３０の外部を覆い、釣り合い重り部材３０をバンド４０で十分保護させることができ、かつバンド４０が釣り合い重り部材３０を遮蔽することで、釣り合い重り部材３０をバンド４０と外部筐体１２の間に隠させることで、パノラマカメラ装置１の美観性を増すことができる。
【実施例４】
【００２２】
図７は本発明の実施例４に係るパノラマカメラ装置の断面図である。本実施例と上記実施例３との相違点は、釣り合い重り部材３０もバンド４０’内に内蔵できる点である。例えばバンド４０’内部に中空溝４１を設けることができ、釣り合い重り部材３０が中空溝４１内部に収容され、バンド４０’で釣り合い重り部材３０の外部を十分覆わせ、釣り合い重り部材３０を固定と保護し、また釣り合い重り部材３０をバンド４０’内に隠させ、パノラマカメラ装置１の美観性を増すことができる。
【００２３】
上記をまとめると、本発明の実施例は、カメラ本体の重心から離れた外部筐体或いは回路基板上に釣り合い重り部材を取り付けることで、パノラマカメラ装置の重心を外部筐体の一側に移させ、パノラマカメラ装置を不注意で落とした時でも、パノラマレンズが直接衝撃を受けることを防止できてレンズを保護する働きとなる。
【００２４】
上述の説明は、単に本発明の最良の実施例を挙げたまでであり、本発明を限定しない。その他本発明の開示する要旨を逸脱することなく完成された同等効果の修飾または置換はいずれも後述の特許請求の範囲に含まれる。
【符号の説明】
【００２５】
１  パノラマカメラ装置
１０  カメラ本体
１１  開口部
１２  外部筐体
１２１、１２２  ケーシング部材
１２３  切欠溝
１２４  凹溝
１２５  径方向凸リブ
１３  回路基板
１３１  接続端子
１３２  無線通信モジュール
２０  パノラマレンズ
３０  釣り合い重り部材
３０１  カウンターウェイト
３０２  固定具
４０、４０’  バンド
４１  中空溝
Ｒ  基準面
Ｃ  重心
【図１】
2018092141.tif 000003
【図２】
2018092141.tif 000004
【図３】
2018092141.tif 000005
【図４】
2018092141.tif 000006
【図５】
2018092141.tif 000007
【図６】
2018092141.tif 000008
【図７】
2018092141.tif 000009